(57)【要約】【課題】  横樋内の球通路での球噛みを解消可能な遊技機用横樋を提供する。【解決手段】  底板２と底板の両側より立上って相対峙する側壁３；４とで形成された球通路８を備え、球通路が球通路の一端側から他端側に流下する球を横の複数列から単列に整列させる整流部１３を備え、整流部の相対峙する側壁の対向間隔が球通路の一端側から他端側に行くに従って徐々に狭く形成された遊技機用横樋１において、整流部の相対峙する側壁のそれぞれに、球の流れる方向に延長する球接触誘導部（長孔１７；１８）が設けられ、球接触誘導部が側壁の球と接触する内側面から外側に向けて窪む形態に形成され、一方の球接触誘導部と他方の球接触誘導部との延長方向が、互いに球を上下に切り分けるように異なる方向に向けられた。【選択図】        図１
2005177050.tif 000002
【特許請求の範囲】
【請求項１】
底板と底板の両側より立上って相対峙する側壁とで形成された球通路を備え、球通路が球通路の一端側から他端側に流下する球を横の複数列から単列に整列させる整流部を備え、整流部の相対峙する側壁の対向間隔が球通路の一端側から他端側に行くに従って徐々に狭く形成された遊技機用横樋において、整流部の相対峙する側壁のそれぞれに、球の流れる方向に延長する球接触誘導部が設けられ、球接触誘導部が側壁の球と接触する内側面から外側に向けて窪む形態に形成され、一方の球接触誘導部と他方の球接触誘導部との延長方向が、互いに球を上下に切り分けるように異なる方向に向けられたことを特徴とする遊技機用横樋。
【請求項２】
球接触誘導部が、底板に接触するとともに互いに接触した複数個の球の直径と同じとなる整流部の側壁の対向部分より球通路の一端側方向の直前に形成されたことを特徴とする請求項１に記載の遊技機用横樋。
【請求項３】
球接触誘導部が、上下にずれて互いに接触した複数個の球の直径と同じとなる整流部の側壁の対向部分より球通路の一端側方向の直前に形成されたことを特徴とする請求項１に記載の遊技機用横樋。
【請求項４】
球接触誘導部の球の流れる方向の一端側が、底板に接触した球と接触する位置に形成されたことを特徴とする請求項１に記載の遊技機用横樋。
【請求項５】
球接触誘導部が、側壁から底板にも形成されたことを特徴とする請求項１に記載の遊技機用横樋。
【発明の詳細な説明】
【技術分野】
【０００１】
本発明は横樋内の球通路での球噛みを解消可能な遊技機用横樋に関する。
【背景技術】
【０００２】
遊技機用横樋は、一端側から他端側に流下する球を横の複数列から単列に整列させる整流部を設けたものが知られている。
【特許文献１】特開２００１−２５５５８号公報
【発明の開示】
【発明が解決しようとする課題】
【０００３】
特許文献１の横樋内の球通路において、２つの球が互いに接触したまま、その互いに接触した２つの球がその球の外径である２直径を有する通路形成部分に接触し、後から続く多数の球で他端側に押されることで、その互いに接触した２つの球が当該直径を有する通路形成部分に詰まることがある。つまり、いわゆる球噛みを生じる。球噛みは、図９に示すように、２つの球の中心Ｃを通る一直線Ｌ上に２つの球３１の接触点Ｓが位置した状態において、上記一直線Ｌ上で２つの球３１に当該２つの球３１を互いに押し付ける力Ｆが加わった場合に生じる。この球噛みを生じた場合、当該２つの球３１は後から続く多数の球３１で球通路の他端側に押され続けることで球詰まりしたままとなり、後続の球３１を他端側に供給できなくなる。この球噛みは横樋の一端側から他端側に流下する球を横の複数列から単列に整列させる横樋内の整流部において発生しやすい。
【課題を解決するための手段】
【０００４】
本発明は、底板と底板の両側より立上って相対峙する側壁とで形成された球通路を備え、球通路が球通路の一端側から他端側に流下する球を横の複数列から単列に整列させる整流部を備え、整流部の相対峙する側壁の対向間隔が球通路の一端側から他端側に行くに従って徐々に狭く形成された遊技機用横樋において、整流部の相対峙する側壁のそれぞれに、球の流れる方向に延長する球接触誘導部が設けられ、球接触誘導部が側壁の球と接触する内側面から外側に向けて窪む形態に形成され、一方の球接触誘導部と他方の球接触誘導部との延長方向が、互いに球を上下に切り分けるように異なる方向に向けられたことを最も特徴とする。球接触誘導部が、底板に接触するとともに互いに接触した複数個の球の直径と同じとなる整流部の側壁の対向部分より球通路の一端側方向の直前に形成されたことや、球接触誘導部が、上下にずれて互いに接触した複数個の球の直径と同じとなる整流部の側
壁の対向部分より球通路の一端側方向の直前に形成されたことや、球接触誘導部の球の流れる方向の一端側が、底板に接触した球と接触する位置に形成されたことや、球接触誘導部が、側壁から底板にも形成されたことも特徴とする。
【発明の効果】
【０００５】
本発明によれば、横樋の一端側から互いに接触して流下してくる球を球接触誘導部により上下に切り分けることができるので、整流部の球噛みを解消できる。球接触誘導部が、底板に接触するとともに互いに接触した複数個の球の直径と同じとなる整流部の側壁の対向部分より球通路の一端側方向の直前や、上下にずれて互いに接触した複数個の球の直径と同じとなる整流部の側壁の対向部分より球通路の一端側方向の直前に形成された球接触誘導部により、球噛みを発生する直前に互いに接触している球を上下に切り分けることができて、球噛みを効果的に解消できる。球接触誘導部の球の流れる方向の一端側が、底板に接触した球と接触する位置に形成されたので、底板に接触しかつ互いに接触する複数の球を球接触誘導部内にスムーズに導くことができ、互いに球をスムーズに上下に切り分けることができる。また、側壁から底板に延長する孔を形成したので、孔からゴミや釘などを落下させることができるとともに、球噛みを解消できる。
【発明を実施するための最良の形態】
【０００６】
図１−図５は、第１実施形態である。図１は遊技機用横樋の外観を示し、図２は遊技機用横樋の平面を示し、図３は遊技機用横樋の要部の側面を示し、図４は遊技機用横樋の作用を示し、図５はパチンコ機の裏面を示す。
【０００７】
図１を参照し、遊技機用横樋１を説明する。横樋１は、球を図５に示すタンク２１から払出機構２５に誘導しつつ一列に整列して供給するものであって、材料を限定するものではないが、光透過性のある合成樹脂により、一端から他端に向けて球を自然流下する、上方に開放された横長な箱形に形成された形態である。横樋１は、底板２と、底板２の球の流れる方向に沿った両側縁より上方に略垂直に立上って相対峙する側壁３；４と、底板２の球の流れる方向の一端縁より上方に略垂直に立ち上った一端壁５と、横樋１の他端に開放形成された球出口６とを有し、横樋１の内部に球通路８が形成される。
【０００８】
図２にも示すように、球通路８の一端側に球受部１１が形成され、球通路８の他端側に球誘導部１２が形成され、球通路８の一端側と他端側との間の中間部には球受部１１と球誘導部１２とを繋ぐ整流部１３が形成される。球受部１１の横幅Ｘは球を横に複数列に並べて流下させることが可能な幅に形成される。即ち、球受部１１の相対峙する側壁３；４は球２個分の直径より大きい対向間隔（＝横幅Ｘ）を隔てて球通路８の一端から他端方向に所定の距離ａだけ延長する。球誘導部１２の横幅Ｙは球を横に単列に並べて球出口６に誘導可能な幅に形成される。即ち、球誘導部１２の相対峙する側壁３；４は球１個分の直径より少し大きい対向間隔（＝横幅Ｙ）を隔てて球通路８の他端から一端方向に距離ｂだけ延長する。整流部１３の横幅は球受部１１から球誘導部１２に流下する球を横の複数列から単列に整列させることが可能な幅に形成される。即ち、整流部１３の相対峙する側壁３；４の対向間隔は球通路８の一端側から他端側に行くに従って徐々に狭く形成される。つまり、整流部１３においては、相対峙する側壁３；４の内側面１５；１６が球通路８の一端側から他端側にかけて互いに徐々に近づく傾斜面に形成される。
【０００９】
図３に示すように、整流部１３を形成する側壁３；４のそれぞれには、球の流れる方向に延長する球接触誘導部としての長孔１７；１８が設けられ、一方の長孔１７は他方の長孔１８より一端側及び他端側に長い。長孔１７；１８の上辺縁と下辺縁との間の間隔は球１個の直径より小さい。一方の長孔１７は整流部１３の一端側から他端側にかけて上方に傾斜して形成され、他方の長孔１８は整流部１３の一端側から他端側にかけて下方に傾斜して形成される。即ち、一方の長孔１７と他方の長孔１８の延長方向が、互いに球を上下に切り分けるように異なる方向に向けられる。また、長孔１７；１８は、球の流れる方向の一端側が、底板２に接触した球と接触する位置に形成される。
【００１０】
図５に示すように、横樋１は、遊技機枠１９の裏面２０に取付けられたタンク２１と縦形球樋２２との間に配置され、一端側から他端側にかけて下方に傾斜した状態に遊技機枠１９の裏面２０に取付けられた。横樋１は、球通路８の一端側の球受部１１がタンク２１の球排出口２３の下方に配置され、他端側の球出口６が縦形球樋２２の球入口２４に連接される。縦形球樋２２の下方には払出機構２５が設けられ、払出機構２５の球排出口２６と遊技機枠１９の前面に設けられた皿装置２７の球入口２８とが球樋２９で連結される。
【００１１】
図４を参照して作用を説明する。図３のＡ−Ａ断面の位置は、底板２に接触するとともに互いに接触した２個の球３１の直径と同じとなる整流部１３の側壁３；４の対向部分より球通路８の一端側方向の直前位置である。側壁３；４に長孔１７；１８を備えない場合は、底板２に接触するとともに互いに接触した２個の球３１が図４のａ図の状態のまま整流部１３の他端方向に流下すると、互いに接触した球２個が側壁３；４間に挟まれて球噛みを生じる可能性がある。一方、実施形態では、上記直前位置において底板２に接触した球３１が図４のａ図に示すように横に２個並んで互いに接触しながら後続の球３１に押されて整流部１３の他端方向に流下すると、底板２に接触するとともに互いに接触した２個の球３１の直径と同じとなる整流部１３の側壁３；４の対向部分の位置で、一方の球３１の周囲が長孔１７内に入り込み、他方の球３１の周囲が長孔１８に入り込む。そして、長孔１７と長孔１８の延長方向が、互いに球３１を上下に切り分けるように異なる方向に向けられているので、図３のＢ−Ｂ断面の位置において、図４のｂ図に示すように、長孔１７と長孔１８とにより、互いに接触している球３１が球噛みを発生する直前から互いに上下に切り分けられて、球噛みを効果的に解消できる。即ち、上記直前位置は球噛みを生じる直前の位置であるので、球噛みを効果的に解消できる。また、長孔１７；１８の球３１の流れる方向の一端側が、底板２に接触した球３１と接触する位置に形成されたので、底板２に接触している球３１を長孔１７；１８内にスムーズに導くことができ、互いに球３１をスムーズに上下に切り分けることができる。よって、球噛みを効果的に解消できる。
【００１２】
図３のＣ−Ｃ断面の位置は、上下にずれて互いに接触した２個の球３１の直径と同じとなる整流部１３の側壁３；４の対向部分より球通路８の一端側方向の直前の位置である。側壁３；４に長孔１７；１８を備えない場合は、上下にずれて接触した球２個が図４のｃ図の状態のまま整流部１３の他端方向に流下すると、上下にずれて接触した球２個が側壁３；４間に挟まれて球噛みを生じる可能性がある。一方、実施形態では、図４のｃ図のように上下にずれて接触した球２個のうちの一方の球３１の周囲が一方の長孔１７内に入り込み、他方の球３１の周囲も他方の長孔１８に入り込む。そして、一方の長孔１７と他方の長孔１８の延長方向が、互いに球３１を上下に切り分けるように異なる方向に向けられているので、図３のＤ−Ｄ断面の位置において、図４のｄ図に示すように、長孔１７と長孔１８とにより、互いに接触している球３１が球噛みを発生する直前から互いに上下に切り分けられて、球噛みを効率的に解消できる。
【００１３】
図６は第２実施形態を示す。第２実施形態では、球接触誘導部を、側壁３；４の球と接触する内側面から外側に向けて窪む長溝３０ａ；３０ｂにより形成した。このような球接触誘導部であっても第１実施形態と同様の効果が得られる。
【００１４】
図７、８は第３実施形態を示す。第３実施形態では、球接触誘導部を、側壁３；４から底板２に延長する孔３２ａ；３２ｂで形成した。この場合、底板２の孔３２ａ；３２ｂからゴミや釘などを落下させることができるとともに、球噛みを解消できる。
【産業上の利用可能性】
【００１５】
球接触誘導部の一端から他端方向への長さは、球を上下に切り分けることができる長さであればよく、短くてもよい。
本発明の遊技機用横樋は、パチンコ機や、遊技媒体としてパチンコ球を使用するスロットマシン等の遊技機に使用できる。
【図面の簡単な説明】
【００１６】
【図１】遊技機用横樋を示す斜視図（第１実施形態）。
【図２】遊技機用横樋を示す平面図（第１実施形態）。
【図３】遊技機用横樋の球接触誘導部を示す要部側面図（第１実施形態）。
【図４】遊技機用横樋の作用説明図（第１実施形態）。
【図５】遊技機用球樋装置を取付けたパチンコ機の裏面図（第１実施形態）。
【図６】遊技機用球樋装置の球接触誘導部を示す図（第２実施形態）。
【図７】遊技機用球樋装置の球接触誘導部を示す図（第３実施形態）。
【図８】遊技機用球樋装置の球接触誘導部を示す図（第３実施形態）。
【図９】球噛みを示す図。
【符号の説明】
【００１７】
１  遊技機用横樋、２  底板、３；４  側壁、８  球通路、１３  整流部、
１７；１８  長孔（球接触誘導部）。
【図１】
2005177050.tif 000003
【図２】
2005177050.tif 000004
【図３】
2005177050.tif 000005
【図４】
2005177050.tif 000006
【図５】
2005177050.tif 000007
【図６】
2005177050.tif 000008
【図７】
2005177050.tif 000009
【図８】
2005177050.tif 000010
【図９】
2005177050.tif 000011